(57)【要約】      （修正有）【課題】例えばラバーバンドのような収納部材を収納して保管することができる収納容器を提供する。【解決手段】収納容器は、底面が塞がれた外側筒状部材６と、外側筒状部材６の内側に設けられるとともに、外周にラバーバンド１００を保持するための内側筒状部材８と、を有する。外側筒状部材６と内側筒状部材８の間に、ラバーバンド１００を収納するための空間が形成される。外側筒状部材６の内部には、内側筒状部材８を所定位置に保持するための筒状部材１２が、外側筒状部材６とは別体に設けられている。【選択図】図６
0003216465.tif 000002
【実用新案登録請求の範囲】
【請求項１】
底面が塞がれた外側筒状部材と、
前記外側筒状部材の内側に設けられる内側筒状部材とを備え、
前記外側筒状部材と前記内側筒状部材との間に収納部材を収納するための空間が形成される、
ことを特徴とする収納容器。
【請求項２】
前記内側筒状部材は、断面円形である、
請求項１に記載の収納容器。
【請求項３】
前記収納部材は環状であり、
前記内側筒状部材の直径は、前記収納部材の内面の直径とほぼ同じである、
請求項１または請求項２に記載の収納容器。
【請求項４】
前記内側筒状部材は、前記外側筒状部材とは別体である、
請求項１から請求項３のいずれか１項に記載の収納容器。
【請求項５】
前記外側筒状部材は、断面円形である、
請求項１から請求項４のいずれか１項に記載の収納容器。
【請求項６】
前記外側筒状部材は、前記内側筒状部材の内側に配置可能な筒状部分を有し、前記筒状部分は、前記外側筒状部材の前記底面に固定されている、
請求項１から請求項５のいずれか１項に記載の収納容器。
【請求項７】
前記内側筒状部材の断面形状は、前記筒状部分の断面形状と同じである、
請求項６に記載の収納容器。
【請求項８】
全体が透明である、
請求項１から請求項７のいずれか１項に記載の収納容器。
【考案の詳細な説明】
【技術分野】
【０００１】
本考案は、収納容器に関し、特に例えばラバーバンドのような収納部材を複数収納して保管するための収納容器に関する。
【背景技術】
【０００２】
従来、複数の物品を収納する収納ケースとしては、例えば特許文献１に記載のようなものがある。この特許文献１に記載の収納ケースでは、複数個の収納体を有し、各収納体にカセットテープ等の平坦状の収納品を収納可能になっている。このような収納ケースは、複数の物品を整理して保管するのに便利である。
【先行技術文献】
【特許文献】
【０００３】
【特許文献１】特開平７−２３２７７６号公報
【考案の概要】
【考案が解決しようとする課題】
【０００４】
ところで、複数の物品を収集する例として、コンサート等で販売されるようなラバーバンドがある。ラバーバンドを多数収集した場合、それらのラバーバンドを汚さず傷つけずに保管したり飾ったりしたいという要望がある。
本考案の目的は、例えばラバーバンドのような収納部材を収納して保管することができる収納容器を提供することにある。
【課題を解決するための手段】
【０００５】
上記の目的を達成するために、本考案の収納容器は、底面が塞がれた外側筒状部材と、外側筒状部材の内側に設けられる内側筒状部材とを備え、外側筒状部材と内側筒状部材との間に収納部材を収納するための空間が形成される、ことを特徴としている。
このような構成によれば、内側筒状部材と外側筒状部材との間に収納部材を収納することが可能になる。これにより、収納部材を収納して保管することができる。
【０００６】
本考案において、好ましくは、内側筒状部材は、断面円形である。
このような構成によれば、内側筒状部材が断面円形であるので、保持される収納部材の形状を円形に維持することができる。特に収納部材の断面形状が円形の環状部材である場合に有用である。
【０００７】
本考案において、好ましくは、収納部材は環状であり、内側筒状部材の直径は、収納部材の内面の直径とほぼ同じである。
このような構成によれば、内側筒状部材の直径が収納部材の内面の直径とほぼ同じであるので、内側筒状部材の外周で収納部材を隙間なく保持することができる。
【０００８】
本考案において、好ましくは、内側筒状部材は、外側筒状部材とは別体である。
このような構成によれば、内側筒状部材が外側筒状部材と別体であるので、例えば内側筒状部材の外周に収納部材を保持させた後に、内側筒状部材を外側筒状部材に収納することにより、簡単に収納部材を収納することができる。
【０００９】
本考案において、好ましくは、外側筒状部材は、断面円形である。
このような構成によれば、外側筒状部材が断面円形であるので、特に収納部材の断面形状が円形の場合に、収納部材が外側筒状部材の内部で偏りなく保持される。
【００１０】
本考案において、好ましくは、外側筒状部材は、内側筒状部材の内側に配置可能な筒状部分を有し、筒状部分は、外側筒状部材の底面に固定されている。
このような構成によれば、外側筒状部材の内部に筒状部分が設けられているので、内側筒状部材を筒状部分の外側に配置すると、内側筒状部材の外側筒状部材内の移動が、筒状部分によって制限される。これにより、内側筒状部材の移動が少なくなり、収納部材が外れることなく整列して収納保管される。
【００１１】
本考案において、好ましくは、内側筒状部材の断面形状は、筒状部分の断面形状と同じである。
このような構成によれば、内側筒状部材の断面形状が筒状部分の断面形状と同じなので、外側筒状部材内で内側筒状部材が移動しにくく、よって収納部材をより確実に保持できる。
【００１２】
本考案において、好ましくは、全体が透明である。
このような構成によれば、収納容器は全体が透明であるので、収納部材を収納したとき、外部から収納部材が視認可能となる。したがって、例えば収集したラバーバンドやポスター等を収納する場合には、保管のために収納するだけでなく、収納部材を鑑賞することもできる。
【図面の簡単な説明】
【００１３】
【図１】本考案の一実施形態に係る収納容器の正面図である。
【図２】本考案の一実施形態に係る収納容器の平面図である。
【図３】本考案の一実施形態に係る外側筒状部材の正面図である。
【図４】本考案の一実施形態に係る外側筒状部材の平面図である。
【図５】本考案の一実施形態に係る蓋の正面図である。
【図６】本考案の一実施形態に係る収納容器の分解斜視図である。
【図７】本考案の他の実施形態に係る収納容器の分解斜視図である。
【考案を実施するための形態】
【００１４】
以下、本考案の好ましい実施形態を添付図面を参照して説明する。
図１は、本考案の一実施形態に係る収納容器１の正面図であり、図２は、本考案の一実施形態に係る収納容器１の平面図である。これらの図１及び図２に示すように、収納容器１は、全体が透明部材で構成されており、本体２と、蓋４とを有する。
本体２は、外側筒状部材６と、外側筒状部材６の内側に設けられるとともに、外周に例えば収納部材を保持するための内側筒状部材８と、を有する。なお、本実施形態では、収納部材は環状部材であり、具体的にはラバーバンド１００（図６参照）である。
【００１５】
図３は、本考案の一実施形態に係る外側筒状部材６の正面図であり、図４は、本考案の一実施形態に係る外側筒状部材６の平面図である。これらの図３及び図４に示すように、外側筒状部材６は、底面１０を有する、断面円形の有底筒状の部材である。外側筒状部材６の直径は、ラバーバンド１００の直径よりも若干大きく設定されている。
外側筒状部材６の内側には、内側筒状部材８の内側に配置可能な断面円形の筒状部分１２を有する。この筒状部分１２の外径は、内側筒状部材８の内径よりも若干小さく設定されている。また、筒状部分１２の高さは、外側筒状部材６の高さよりも若干小さく設定されている。筒状部分１２は、外側筒状部材６の内部に、外側筒状部材６と同心状に配置されている。
外側筒状部材６の底面１０には、上方に向かって凹む円形の凹部１１が形成されている。凹部１１は、外側筒状部材６と同心状に配置されている。
【００１６】
内側筒状部材８は、外側筒状部材６の内径よりも小さい外径を有し、筒状部分１２の外径よりも若干大きい内径を有する、断面円形の両端開口の筒状部材である。内側筒状部材８の外径は、ラバーバンド１００の内径とほぼ同じ、つまり同じか若干小さく設定されている。内側筒状部材８は、外側筒状部材６とは別体に形成されており、外側筒状部材６の内部で筒状部分１２の外側に挿入可能になっている。内側筒状部材８の高さは、筒状部分１２の高さよりも若干小さく設定されている。
内側筒状部材８を外側筒状部材６内に収納した状態において、内側筒状部材８と外側筒状部材との間には、ラバーバンド１００を収納するための空間１３（図１）が形成される。
【００１７】
図５は、本考案の一実施形態に係る蓋４の正面図である。蓋４は、外側筒状部材６の直径に対応する直径を有する筒状部１４と、筒状部の一端を塞ぐ蓋部１６とを有する、高さの小さい有底筒状の部材である。蓋部１６には、蓋４を外側筒状部材６に取り付けた際に上方に向かって突出する凸部１８が形成されている。
【００１８】
図６は、本考案の一実施形態に係る収納容器１の分解斜視図である。この図６に示すように、収納容器１にラバーバンド１００を収納する場合には、まず内側筒状部材８の外周にラバーバンド１００を取り付ける。ラバーバンドの１００が複数ある場合には、上下方向に隣接するように複数配置する。そして、ラバーバンド１００を取り付けた内側筒状部材８を外側筒状部材６の内部で筒状部分１２の外側に挿入する。そして蓋４を閉める。
収納容器１は全体が透明なので、ラバーバンド１００が外部から視認可能となる。
また、複数の収納容器１を積み重ねて保管する際には、下の収納容器１の凸部１８を上の収納容器１の底面１０の凹部１１に挿入することで、互いに位置が固定される。
【００１９】
このように構成された本実施形態によれば、次のような優れた効果を得ることができる。
収納容器１が外側筒状部材６と内側筒状部材８とを有するので、内側筒状部材８の外周にラバーバンド１００を保持させて外側筒状部材６内に挿入すると、ラバーバンド１００を収納容器１の外側筒状部材６と内側筒状部材８との間の空間１３に収納することができるので、ラバーバンド１００を汚すことなく保管することができる。
【００２０】
内側筒状部材８が断面円形なので、円環状のラバーバンド１００を内側筒状部材６の外周で良好に保持することができる。また、外側筒状部材６も断面円形なので、内側筒状部材６を外側筒状部材８内に収納したとき、ラバーバンド１００の外面から外側筒状部材６までの距離が全周にわたって等間隔になり、ラバーバンド１００を収納した状態の収納容器１の外観がよくなる。
【００２１】
内側筒状部材８の外径がラバーバンド１００の内径とほぼ同じか若干小さいので、ラバーバンド１００を伸ばさない状態で保持できる。また、ラバーバンド１００を隙間なく内側筒状部材８に保持させることができ、これによりラバーバンド１００が収納容器１内でずれてしまうのを防止することができる。
【００２２】
内側筒状部材８が外側筒状部材６と別体に設けられているので、内側筒状部材８の外周にラバーバンド１００を取り付けた後、内側筒状部材８を外側筒状部材６に挿入してラバーバンド１００を収納することができる。したがって、ラバーバンド１００の取付作業が容易になる。
【００２３】
外側筒状部材６が筒状部分１２を有し、筒状部分１２が外側筒状部材６の底面１０に固定されているので、内側筒状部材８を外側筒状部材６に挿入したとき、内側筒状部材８が筒状部分１２外周に位置決めされる。したがって、内側筒状部材８が外側筒状部材６内で移動することなく確実に保持される。よって内側筒状部８に保持されたラバーバンド１００も外れることなく整列した状態で収納保管することができる。
【００２４】
内側筒状部材８及び筒状部分１２の断面形状がともに円形なので、内側筒状部材８を筒状部分１２で確実に保持することができ、内側筒状部材８が外側筒状部材６内で移動するのを防止してラバーバンド１００を整列して収納することができる。
【００２５】
収納容器１の全体が透明なので、収納したラバーバンド１００を外部から鑑賞することができる。
【００２６】
本考案は、以上の実施の形態に限定されることなく、例えば、以下のような態様であってもよい。
内側筒状部材及び外側筒状部材の形状は、前述の実施形態のように円筒でなくてもよく、例えば断面三角形、四角形等の断面多角形の筒状であってもよい。また、内側筒状部材及び外側筒状部材の断面形状は、収納される収納部材の断面形状に対応させてもよいし、収納部材の断面形状と異なる断面形状であってもよい。
【００２７】
内側筒状部材及び外側筒状部材は、同じ断面形状でなくてもよい。図７は、本考案の他の実施形態に係る収納容器の分解斜視図である。この図７に示すように、収納容器５０は、外側筒状部材６が断面正方形の筒状であり、内側筒状部材８及び筒状部分１２が断面円形の筒状であってもよい。
同様に、内側筒状部材及び筒状部分は、同じ断面形状でなくてもよい。
【００２８】
筒状部分は、外側筒状部材の底面に固定されていなくてもよく、例えば蓋に固定されていてもよい。その場合には、筒状部分に内側筒状部分を挿入し、これらをともに外側筒状部材に挿入すればよい。また、筒状部分は必ずしも設けられていなくてもよい。内側筒状部材は、外側筒状部材と必ずしも別体である必要はなく、外側筒状部材と一体となっていてもよい。
内側筒状部材、外側筒状部材、及び筒状部分の直径等の寸法は、収納される収納部材の形状や寸法に応じてそれぞれ任意に設定することができる。
【００２９】
収納容器は、全体が透明でなくてもよく、一部または全部が不透明または半透明であってもよい。
【００３０】
収納部材は、前述の実施形態のようなラバーバンド１００等の環状部材に限らず、例えばポスターや写真等のシート状部材や平坦部材であってもよい。シート状部材や平坦部材を収納する際には、これらを丸めて、外側筒状部材と内側筒状部材との間の空間に収納すればよい。
【符号の説明】
【００３１】
１  収納容器
２  本体
４  蓋
６  外側筒状部材
８  内側筒状部材
１０  底面
１２  筒状部分
【図１】
0003216465.tif 000003
【図２】
0003216465.tif 000004
【図３】
0003216465.tif 000005
【図４】
0003216465.tif 000006
【図５】
0003216465.tif 000007
【図６】
0003216465.tif 000008
【図７】
0003216465.tif 000009